(57)【要約】【課題】ユーザに対して高品質で高付加価値を有するサービスを適時に提供するための情報提供システム、情報提供方法、およびこれらを実現するためのプログラムを提供する。【解決手段】ユーザの第１の通信端末で入力値として指定する問合せ先の通信状況を、問合せ先から得られる情報に基づいて見積る処理部と、通信状況を前記第１の通信端末に送信する送信部と、第１の通信端末から送信される折り返し通話の要求を受信する受信部と、折り返し通話の要求があった場合に、情報提供プログラムを第１の通信端末、またはユーザによって指定された第２の通信端末に起動させるように設定する設定部を含む情報提供システムが提供される。【選択図】図３
2018023017.tif 000002
【特許請求の範囲】
【請求項１】
ユーザの第１の通信端末で入力値として指定する問合せ先の通信状況を、前記問合せ先から得られる情報に基づいて見積る処理部と、
前記通信状況を前記第１の通信端末に送信する送信部と、
前記第１の通信端末から送信される折り返し通話の要求を受信する受信部と、
前記要求があった場合に、情報提供プログラムを前記第１の通信端末、または前記ユーザによって指定された第２の通信端末に起動させるように設定する設定部を含む情報提供システム。
【請求項２】
前記情報提供プログラムは、ユーザとの対話を通じて前記ユーザの問合せに対する回答が見出されるように構成される、請求項１に記載の情報提供システム。
【請求項３】
前記情報提供プログラムは、前記ユーザとの前記対話が、テキスト情報あるいは音声情報の少なくとも一方を介し、前記第１の通信端末または前記第２の通信端末を通じて行われるように構成される、請求項２に記載の情報提供システム。
【請求項４】
前記情報提供プログラムによる前記対話は、画像を表示した状態で行われ、
前記画像は、仮想のオペレータである、請求項３に記載の情報提供システム。
【請求項５】
前記情報提供プログラムを介して前記第１の通信端末、あるいは前記第２の通信端末に対して前記ユーザによって入力された入力情報、および前記第１の通信端末、あるいは前記第２の通信端末に出力され、前記入力情報に対応付けられた出力情報を格納する通信管理部をさらに有する、請求項１に記載の情報提供システム。
【請求項６】
前記入力情報と前記出力情報を表示するための、前記入力値に関連付けられた表示装置をさらに有する、請求項５に記載の情報提供システム。
【請求項７】
前記ユーザの音声情報を認識する音声認識部と、
前記音声情報に対する回答メッセージを複数のメッセージから選択する対話部と、
選択された前記回答メッセージを、少なくとも音声情報および文字情報のいずれか一つとして前記第１の通信端末、あるいは第２の通信端末に送信するように構成される合成部をさらに有する、請求項１に記載の情報提供システム。
【請求項８】
ユーザの第１の通信端末で入力値として指定する問合せ先の通信状況を、前記問合せ先から得られる情報に基づいて見積り、
前記通信状況を前記第１の通信端末に送信し、
前記第１の通信端末から送信される折り返し通話の要求を受信し、
前記要求があった場合に、情報提供プログラムを前記第１の通信端末、または前記ユーザによって指定された第２の通信端末に起動させることを含む情報提供方法。
【請求項９】
前記情報提供プログラムは、ユーザとの対話を通じて前記ユーザの問合せに対する回答が見出されるように構成される、請求項８に記載の情報提供方法。
【請求項１０】
前記情報提供プログラムは、前記ユーザとの前記対話が、テキスト情報あるいは音声情報の少なくとも一方を介し、前記第１の通信端末または前記第２の通信端末を通じて行われるように構成される、請求項９に記載の情報提供方法。
【請求項１１】
前記情報提供プログラムによる前記対話は、画像を表示した状態で行われ、
前記画像は、仮想のオペレータである、請求項１０に記載の情報提供方法。
【請求項１２】
前記情報提供プログラムを介して前記第１の通信端末、あるいは前記第２の通信端末に対して前記ユーザによって入力された入力情報、および前記第１の通信端末、あるいは前記第２の通信端末に出力され、前記入力情報に対応付けられた出力情報を格納することをさらに含む、請求項８に記載の情報提供方法。
【請求項１３】
前記入力値に関連付けられた表示装置に前記入力情報と前記出力情報を表示することをさらに含む、請求項１２に記載の情報提供方法。
【請求項１４】
前記ユーザの音声情報を音声認識部で認識し、
対話部において、前記音声情報に対する回答メッセージを複数のメッセージから選択し、
合成部において、選択された前記回答メッセージを、少なくとも音声情報および文字情報のいずれか一つとして前記第１の通信端末、あるいは第２の通信端末に送信することをさらに含む、請求項８に記載の情報提供方法。
【請求項１５】
ユーザの第１の通信端末で入力値として指定する問合せ先の通信状況を受信し、
前記通信状況を表示し、
折り返し通話の要求を受け付けるための表示を行い、
前記折り返し通話の前記要求を送信し、
前記折り返し通話の前記要求を送信した後に、情報提供プログラムを第１の通信端末で起動することを前記第１の通信端末に実行させるためのプログラム。
【請求項１６】
前記情報提供プログラムは、ユーザとの対話を通じて前記ユーザの問合せに対する回答が見出されるように構成される、請求項１５に記載のプログラム。
【請求項１７】
前記情報提供プログラムは、前記ユーザとの前記対話が、テキスト情報あるいは音声情報の少なくとも一方を介し、前記第１の通信端末または前記第２の通信端末を通じて行われるように構成される、請求項１６に記載のプログラム。
【請求項１８】
前記情報提供プログラムによる前記対話は、画像を表示した状態で行われ、
前記画像は、仮想のオペレータである、請求項１７に記載のプログラム。
【請求項１９】
前記情報提供プログラムを、前記ユーザが指定する第２の通信端末に起動させることを前記第１の通信端末に実行させるための、請求項１５に記載のプログラム。
【請求項２０】
前記ユーザの音声情報を音声認識部へ送信すること、
前記音声情報に対する回答メッセージを、少なくとも音声情報および文字情報のいずれか一つとして受信することを前記第１の通信端末に実行させるための、請求項１５に記載のプログラム。
【発明の詳細な説明】
【技術分野】
【０００１】
本発明は、事業者からユーザへの情報提供方法、および当該情報提供方法を実現するためのプログラムやシステムに関する。
【背景技術】
【０００２】
コンピュータや携帯電話などの通信端末の大幅な普及と、通信ネットワークの飛躍的な発展に伴い、各種サービスを提供する事業者と顧客あるいはユーザ（以下、総じてユーザと記す）との間のコミュニケーションの多くが通信ネットワークを介して行われるようになってきた。しかしながら、事業者とユーザとの直接あるいは電話を通じた対話は、依然として高い信頼性があり、顧客に対して大きな安心感を与えることができる方法である。
【０００３】
事業者は、ユーザからの問合せや照会、あるいは要求（以下、総じて問合せと記す）に対し、電話によって応対する専門部門（コールセンター、カスタマーセンター、窓口、問合せ先とも呼ばれる。以下、総じて問合せ先と記す）を設置することが多い。これにより、ユーザにとっての利便性が向上するだけでなく、ユーザ対応を行う従業員（以下、オペレータと記す）を効率的に配置することができ、結果として事業効率を向上させることができる。しかしながら事業規模が大きくなると、ユーザに対するきめ細かい対応を行うため、提供するサービスごとに問合せ先を細分化することが多い。このような細分化は、ユーザにとっては逆に問合せ先が複雑化したことになり、必ずしも顧客満足度を維持できる手法ではない。また、多くのユーザが一部の問合せ先に集中すると、電話接続ができない、あるいは接続までの時間が増大するなどの不便が生じ、ユーザは不満を募らせることになる。
【０００４】
このようなユーザ満足度の低下を回避する方法として、問合せ先の混雑状況をユーザの通信端末に公開し、ユーザが問合せ先へ架電するタイミングを分散させることが開示されている（特許文献１参照）。
【先行技術文献】
【特許文献】
【０００５】
【特許文献１】特開２００７−２４３６５７号公報
【発明の概要】
【発明が解決しようとする課題】
【０００６】
本発明の課題の一つは、事業者の人的資源を消耗することなく、当該事業者との通話に要する時間を削減し、ユーザに対して高品質で高付加価値を有するサービスを適時に提供するための情報提供方法を提供することである。
【課題を解決するための手段】
【０００７】
本発明の実施形態の一つは情報提供システムである。情報提供システムは、ユーザの第１の通信端末で入力値として指定する問合せ先の通信状況を、問合せ先から得られる情報に基づいて見積る処理部と、通信状況を前記第１の通信端末に送信する送信部と、第１の通信端末から送信される折り返し通話の要求を受信する受信部と、折り返し通話の要求があった場合に、情報提供プログラムを第１の通信端末、またはユーザによって指定された第２の通信端末に起動させるように設定する設定部を含む。
【０００８】
情報提供システムはさらに、情報提供プログラムを介して第１の通信端末、あるいは第２の通信端末に対してユーザによって入力された入力情報、および第１の通信端末、あるいは第２の通信端末に出力され、入力情報に対応付けられた出力情報を格納する通信管理部を含んでもよい。情報提供システムはさらに、入力情報と出力情報を表示するための、入力値に関連付けられた表示装置を有してもよい。
【０００９】
情報提供システムはさらに、ユーザの音声情報を認識する音声認識部と、音声情報に対する回答メッセージを複数のメッセージから選択する対話部と、選択された回答メッセージを、少なくとも音声情報および文字情報のいずれか一つとして通信端末に送信するように構成される合成部をさらに有してもよい。
【００１０】
本発明の実施形態の一つは、情報提供方法である。情報提供方法は、ユーザの第１の通信端末で入力値として指定する問合せ先の通信状況を、問合せ先から得られる情報に基づいて見積り、通信状況を第１の通信端末に送信し、第１の通信端末から送信される折り返し通話の要求を受信し、要求があった場合に、情報提供プログラムを第１の通信端末、またはユーザによって指定された第２の通信端末に起動させることを含む。
【００１１】
情報提供方法は、情報提供プログラムを介して第１の通信端末、あるいは第２の通信端末に対してユーザによって入力された入力情報、および第１の通信端末、あるいは第２の通信端末に出力され、入力情報に対応付けられた出力情報を格納することをさらに含んでもよい。情報提供方法は、入力値に関連付けられた表示装置に入力情報と出力情報を表示することをさらに含んでもよい。
【００１２】
情報提供方法は、ユーザの音声情報を音声認識部で認識し、対話部において、音声情報に対する回答メッセージを複数のメッセージから選択し、合成部において、選択された回答メッセージを、少なくとも音声情報および文字情報のいずれか一つとして通信端末に送信することをさらに含んでもよい。
【００１３】
本発明の実施形態の一つは、ユーザの第１の通信端末で入力値として指定する問合せ先の通信状況を受信し、通信状況を表示し、折り返し通話の要求を受け付けるための表示を行い、折り返し通話の要求を送信し、折り返し通話の要求を送信した後に、情報提供プログラムを第１の通信端末で起動することを第１の通信端末に実行させるプログラムである。
【００１４】
プログラムは、情報提供プログラムを、ユーザが指定する第２の通信端末に起動させることを第１の通信端末に実行させるように構成してもよい。
【００１５】
プログラムは、ユーザの音声情報を音声認識部へ送信すること、音声情報対する回答メッセージを、少なくとも音声情報および文字情報のいずれか一つとして受信することを通信端末に実行させるように構成してもよい。
【００１６】
情報提供プログラムは、ユーザとの対話を通じてユーザの問合せに対する回答が見出されるように構成されることができる。情報提供プログラムは、ユーザとの対話が第１の通信端末または第２の通信端末上に画像を表示した状態で行われるように構成されることができる。上記画像は、仮想のオペレータであってもよい。
【発明の効果】
【００１７】
事業者の人的資源を消耗することなく、当該事業者との通話に割く時間を削減し、ユーザに対して高品質で高付加価値を有するサービスを適時に提供するための情報提供方法、およびこれを実現するためのシステムやプログラムを提供することができる。
【図面の簡単な説明】
【００１８】
【図１】本発明の実施形態の情報提供システムの構成例。
【図２】本発明の実施形態の情報提供システムの通信端末の構成例。
【図３】本発明の実施形態の情報提供方法を説明するフローチャート。
【図４】本発明の実施形態の情報提供方法において表示される画像の一例。
【図５】本発明の実施形態の情報提供方法において表示される画像の一例。
【図６】本発明の実施形態の情報提供方法において表示される画像の一例。
【図７】本発明の実施形態の情報提供方法において表示される画像の一例。
【図８】本発明の実施形態の情報提供方法において表示される画像の一例。
【図９】本発明の実施形態の情報提供方法において表示される画像の一例。
【図１０】本発明の実施形態の情報提供方法を説明するフローチャート。
【図１１】本発明の実施形態の情報提供方法において表示される画像の一例。
【図１２】本発明の実施形態の情報提供方法において表示される画像の一例。
【図１３】本発明の実施形態の情報提供方法を説明するフローチャート。
【図１４】本発明の実施例の情報提供方法において表示される画像の一例。
【図１５】本発明の実施例の情報提供方法において表示される画像の一例。
【発明を実施するための形態】
【００１９】
本発明の実施形態の一つに係る情報提供システムとそれを用いる情報提供方法、およびそれを実現するためのプログラムについて、図面を参照しながら説明する。
【００２０】
［１．情報提供システム］
図１に、本発明の実施形態の一つである情報提供システム１００の一例を示す。情報提供システム１００は、情報処理サーバ（あるいは情報処理部）１２０を含む。情報処理サーバ１２０は、ユーザが所持する通信端末（第１の通信端末）１１０とネットワークや電話回線によって接続することができる。したがって、情報提供システム１００は通信端末１１０を含むと認識することもできる。
【００２１】
情報処理サーバ１２０は、通信端末１１０へ信号を送信するための送信部１２１、通信端末１１０からの信号を受信する受信部１２２、通信端末１１０へ送信する命令の設定を行う設定部１２３などを有する。
【００２２】
情報処理サーバ１２０は事業者の問合せ先１７０とネットワークや電話回線で接続することができ、問合せ先１７０の回線の混雑状況などを含む通信状況を把握するように構成することができる。例えば情報処理サーバ１２０は、問合せ先１７０のオペレータの端末の動作状況をモニターするための端末モニター１２４や、オペレータのスキル、あるいはオペレータの状態やスケジュールをリアルタイムで格納することができるデータベース１２５、これらの情報を把握し、オペレータが新たなユーザに応対可能になるまでの時間を過去の履歴から統計的に算出する処理部などを有することができる。ここでオペレータの状態とは、ユーザに応対中であるかどうか、待機中であるかどうか、休憩中であるかどうかなどを示す情報である。スケジュールとは、勤務時間や勤怠状況などである。なお、端末モニター１２４や、データベース１２５、処理部を問合せ先１７０に設置し、これらを情報処理サーバ１２０とネットワークや電話回線などで接続してもよい。
【００２３】
情報提供システム１００はさらに、通信端末１１０を介したオペレータとの通話や、後述する情報提供プログラム起動時におけるユーザとの対話において利用される通信サーバ（あるいは通信部）１３０、音声認識サーバ（あるいは、音声認識部）１４０、対話サーバ（あるいは、対話部）１５０、合成サーバ（あるいは、合成部）１６０などを含むことができる。詳細は後述するが、情報提供プログラムとは、対話形式によって各種問合せの入力やそれに対する回答を導くためのプログラムである。対話は画像を表示した状態で行ってもよい。対話は音声情報あるいは文字情報を使用して行われ、対話を通じてユーザの問合せ内容を把握したり、問合せに対する回答へユーザを誘導することができるプログラムである。また、本明細書において対話とは、ユーザとオペレータとの電話回線やネットワークを通じた口頭による対話のみならず、テキスト情報を用いた対話、テキスト情報と音声情報の両者を用いた対話、あるいは音声情報のみを用いた会話が含まれる。また、後者は通信端末１１０を介し、ユーザと対話サーバの間で行うことができる。
【００２４】
通信サーバ１３０は、通信ネットワークを介してユーザの通信端末１１０とオペレータの端末間での通話を可能にするものである。通信サーバ１３０には、ユーザとの対話の内容や履歴を格納するための通信ステータス管理部（あるいは、通信管理部）１３２を有する。通信サーバ１３０は、ユーザの通信端末１１０とオペレータの端末間を電話回線によって接続するように構成されてもよく、あるいは、ブロードバンドサービスを提供するプロバイダーから提供され、ネットワークを介して通信端末同士を接続する、いわゆるＩＰ電話を利用するように構成されていてもよい。後者の場合、ユーザやオペレータの音声は種々の方式によって圧縮され、これがネットワークを介して送信される。
【００２５】
音声認識サーバ１４０は、通信端末１１０を介してユーザが送信した音声情報を解析し、文字データ（テキスト）へ変換するサーバである。音声認識サーバ１４０は、音声認識エンジンとして、例えば特徴量抽出部１４１、デコーダ１４２、テキスト出力部１４３などを有している。特徴量抽出部１４１は送信された音声情報を分析し、特徴量パラメータを抽出する。デコーダ１４２は、言語モデル１４４、音響モデル１４５、語彙辞書１４６などのデータベースを参照しながら特徴量パラメータから最も優れた候補を計算し、認識結果として出力する。出力された認識結果はテキスト出力部１４３によってテキストへ変換、出力される。
【００２６】
対話サーバ１５０は、音声認識サーバ１４０によって生成されるテキストに対し、適切な回答を生成、選択するサーバである。対話サーバ１５０は、対話エンジン、情報データベース１５８などを有することができる。対話エンジンはコントローラ１５２、セレクタ１５６、応答生成部１５４などを含有することができる。コントローラ１５２は対話エンジンを制御するものであり、ユーザの意図を把握したり、セレクタ１５６に適切なメッセージ１５９を選択させる機能を有する。セレクタ１５６はコントローラ１５２が理解したユーザの意図に対して適切なメッセージ１５９を絞り込み、選択する機能を有する。セレクタ１５６は絞り込みエンジンとも呼ばれる。応答生成部１５４は、選択されたメッセージ１５９に基づいてユーザに対する回答を作成する機能を有する。応答生成部１５４は、複数のメッセージ１５９を融合して一つのメッセージを作成してもよい。
【００２７】
情報データベース１５８は事業者のビジネスに関連する用語や知識、状況などを格納することができ、対話エンジンによって参照される。例えば店舗の機能や位置情報、提供できるサービスの内容などの情報、店舗の混雑状況や商品の在庫状況といった時間とともに変動するパラメータを格納できる。情報データベース１５８に、ユーザの生体情報の標準データなどの個人情報を格納してもよい。応答生成部１５４は、選択したメッセージ１５９に情報データベース１５８に格納された個人情報を適宜融合して回答メッセージを生成してもよい。なお対話サーバ１５０は、ユーザと対話サーバ間の対話内容や履歴を格納する通信サーバ１３０と接続されてもよい。また、対話サーバ１５０内のメッセージ１５９は、情報処理サーバ１２０のデータベース１２５内に格納され、セレクタ１５６によって選択されてもよい。
【００２８】
セレクタ１５６によって選択されるメッセージ１５９は、ユーザからの様々な質問に対応する回答メッセージであり、文字情報として準備、管理することができる。あるいは、回答メッセージを絞り込めないとき、ユーザに対して質問するための問合せメッセージとすることもできる。
【００２９】
人工知能としての機能を対話サーバ１５０に搭載し、ユーザとの対話を通じた学習によって新たな回答メッセージを作成してもよい。すなわち、ユーザとの対話から新たに結論を獲得する機能、およびユーザとの対話履歴から学習する機能を対話サーバ１５０に付与し、これらの機能を利用して回答メッセージを作成するようにしてもよい。
【００３０】
合成サーバ１６０は、対話サーバで選択されたメッセージ１５９を音声情報に変換してユーザの通信端末１１０へ送信する、あるいはメッセージ１５９をテキストとしてユーザの通信端末１１０へ送信するためのサーバである。合成サーバ１６０は音声合成エンジンとして、例えばテキスト入力部１６２、言語解析部１６４、波形生成部１６６などを有している。
【００３１】
テキスト入力部１６２では、対話サーバで選択されたメッセージ１５９の文字情報が入力される。この文字情報は言語解析部１６４において言語解析され、データベースである言語辞書１６５を参照しながらアクセントの位置や読み情報などが解析される。波形生成部１６６では、実際に収録された音声から得られた波形データを用いて作成された音声合成データベース１６７を参照し、音声の波形を生成する。波形生成部１６６で生成された音声データはネットワークや電話回線を通じて通信端末１１０へ送信される。
【００３２】
情報提供システム１００に含まれる上述した各構成は、図１に示した従属関係に制限されない。したがって、各構成はどのサーバに属してもよく、ある構成が分散して複数のサーバに含まれてもよい。また、複数のサーバが一つのサーバとして機能してもよい。
【００３３】
通信端末１１０はユーザが操作可能な端末であり、据え付け型（デスクトップ型）コンピュータ、ノート型コンピュータ、あるいは携帯電話やタブレット、スマートフォンなどの携帯通信端末などが挙げられる。通信端末１１０の構成例を図２に示す。図２に示すように、通信端末１１０にはＣＰＵ（中央演算ユニット）１１１、メモリ１１２、表示部１１３、入力部１１４、音声入力部１１５、音声出力部１１６、通信部１１７、画像取込装置１１８などが含まれる。
【００３４】
ＣＰＵ１１１は通信端末１１０に格納された種々のプログラムを解釈、実行する機能を有する。メモリ１１２はプログラムやデータなどの情報を格納する機能を有し、フラッシュメモリなどの不揮発性メモリ素子を含有する。表示部１１３は液晶表示装置やＥＬ有機装置などを有しており、ユーザのインターフェースとして機能する。入力部１１４は、ユーザが物理的接触を通じて情報を通信端末１１０に入力するインターフェースとしての機能を有し、典型的にはタッチパネルやキーボード、入力ボタンなどが挙げられる。音声入力部１１５は音声を取り込み、入力された音声情報を通信部１１７へ伝達する機能を有する。音声出力部１１６はサーバから送信される音声情報や、電話回線などの通信ネットワークを通じて他の通信端末から送信される音声情報を再生する機能を有する。通信部１１７はネットワークを通してサーバや他の通信端末との間で音声情報や文字情報などを送受信する機能を有する。
【００３５】
［２．情報提供方法］
本実施形態の情報提供方法に関し、図３のフローチャートを用いて説明する
【００３６】
［２−１．開始］
事業者に対して問合せを行うユーザは、まず、事業者が提供する専用のプログラムを起動する（ステップ２００）。プログラムはユーザが保有する通信端末１１０にインストールすることができる。以下、本情報提供方法はプログラムを用いて実行するように記載するが、本情報提供方法は専用のプログラムを使用せず、事業者がネットワークを通じて提供するサイト内で行うことも可能である。
【００３７】
プログラムが起動されると、事業者がネットワークを介して提供する種々のサービスが通信端末１１０の表示部１１３の画面３００上に表示される。この時の画面表示を初期画面と呼ぶ。例えば図４に示すように、サービスごとに分類される複数のアイコン３０２が画面３００上に表示される。
【００３８】
［２−２．問合せ］
問合せを希望するユーザが、問合せ先を一覧表示するか否かを選択可能な画面へ移行するためのアイコン（図４では例えばアイコン３０４）を選択することで、問い合わせ操作が開始される。なお、アイコンのような特定の形状を有する領域を画面３００上に表示せず、単にテキスト表示された操作ボタンを画面３００上に表示してもよい。
【００３９】
図５に、問合せ先を一覧表示するか否かを選択可能な画面の一例を示す。例えば図５に示すように、問合せ先の一覧が表示可能な画面へ移行するためのアイコン３２０を画面３００上に表示することができる。問合せを行うユーザはこのアイコン３２０を操作し（図３におけるステップ２０２）、この操作に従ってプログラムは、事業者がすべてあるいは一部を管理する情報処理サーバ１２０に問合せ先の一覧を送信するよう、通信端末１１０に要求させる。なお、問合せ先を一覧表示するか否かを選択可能な画面（図５）を経ず、初期画面（図４）から直接問合せ先の一覧が表示される画面へ移行するよう、プログラムを構成してもよい。
【００４０】
図６に、問合せ先一覧が表示された画面３００の一例を示す。ユーザの問合せ内容はユーザごとに異なる。このため本情報提供方法では、図６に示すように、事業者が提供可能な複数の問合せ先の一覧を画面３００上に表示し、最適な問合せ先１７０をユーザ自身が迅速に選択できるようにする。通常、ユーザが事業者に対する問合せを電話で行う場合、まず事業者の問合せ先を統括する回線への接続を試みる。回線が接続されると、事業者が提供する録音メッセージが流れる。録音メッセージは、各種問合せに適合する問合せ先を順に紹介する。このためユーザは録音メッセージを注意深く聞くことが要求される。また、録音メッセージという、聴覚のみに依存する情報のみでは最適な問合せ先を瞬時に直感的に判断することは必ずしも容易ではなく、場合によっては非常に長い録音メッセージを繰り返し聞く必要がある。
【００４１】
これに対して本実施形態の情報提供方法では、問合せ先が一覧として通信端末１１０の画面３００上にまとめて表示される。例えば図６に示すように、画面３００上に問合せ先ごとに対応するアイコン３３０を表示することができる。このような表示により、ユーザは視覚によって瞬時に情報の全体像を理解することができる。このため、ユーザの問合せに最も適合する問合せ先１７０を容易に判断することが可能となり、ユーザのストレスを大幅に低減することができる。
【００４２】
ユーザは、問合せに最適な問合せ先１７０を画面３００上で選択し、対応するアイコンを操作する（図３におけるステップ２０４）。すなわちユーザは、選択した問合せ先１７０を入力値として指定する。この操作に従ってプログラムは、通信端末１１０に対し、ユーザの選択結果を情報処理サーバ１２０に送信するとともに、問合せに応答する問合せ先１７０の通信状況を送信するよう、情報処理サーバ１２０に要求する。情報処理サーバ１２０は、通信端末１１０からの要求に従い、ユーザが選択した問合せ先１７０の通信状況を、問合せ先１７０から得られる情報に基づいて通信状況を見積る処理部１２６から取得し、送信部１２１から通信端末１１０に送信する。その後、この情報を受信した通信端末１１０は、当該情報を画面３００上に表示する（図３におけるステップ２０６）。例えば図７に示すように、画面３００の上部の領域３４０に当該情報を表示することができる。
【００４３】
通信状況は、問合せ先１７０への接続に成功したものの、オペレータとの対話が開始されていない他のユーザ（ウエイティングユーザ）の人数や、ウエイティングユーザのすべてがオペレータとの対話が完了するまでに予想される時間（予想待ち時間）などを含むことができる。予想待ち時間は、情報処理サーバ１２０の処理部１２６によって見積もられる。
【００４４】
問合せ先１７０の混雑状況等の通信状況をユーザへ開示することで、ユーザはオペレータとの対話が開始可能な時間を見積もることができる。通常、事業者の問合せ先にユーザからの問合せが集中すると、たとえ問合せ先へ回線が接続されたとしても、ユーザは、録音メッセージ中の指示に従い、回線が接続された状態を維持しながらオペレータが対応可能になるまで長時間待機することを余儀なくされることがある。この場合、オペレータとの対話を開始する時間を予想することができず、これは、ユーザがフラストレーションを募らせる最も大きな原因となる。これに対し、ユーザの通信端末１１０に問合せ先１７０の通信状況を明示することにより、ユーザのフラストレーションの軽減ができるのみならず、以下に述べるように、ユーザに対して様々な行動を選択する（行動オプション）機会を与えることができる。
【００４５】
例えば図７に示すように、問合せ先１７０へ直接架電するためのアイコン３５０のみならず、問合せ先１７０からユーザへの通話（折り返し通話）を予約するためのアイコン３５２、あるいは、直接オペレータとは対話しないものの、上述した情報提供プログラムを起動するためのアイコン３５４、あるいは情報提供プログラムを通信端末１１０にインストールするためのサイトへ移行するためのアイコン３５６などを表示するよう、プログラムを構成することができる。さらに、多くのユーザが頻繁に行う問合せ（ＦＡＱ：Ｆｒｅｑｕｅｎｔｌｙ  Ａｓｋｅｄ  Ｑｕｅｓｔｉｏｎｓ）が掲載された画面へ移行するためのアイコン３５８を表示してもよい。これにより、問合せに対する回答をユーザ自身が探すという行動オプションを提供することができる。このように様々な行動を選択する機会を与えることで、ユーザは長い待機時間を無意味に過ごす必要がなくなり、時間を有効に活用することができる。
【００４６】
［２―３．ユーザによる架電］
問合せ先１７０のオペレータとの対話を最優先したいユーザは、例えばアイコン３５０を操作し、直接問合せ先１７０へ架電してもよい（図３におけるステップ２０８）。例えば問い合わせが急を要する事項を含む場合、あるいは問合せ先１７０の通信状況がユーザの許容範囲である場合、ユーザはアイコン３５０を操作し、直接問合せ先１７０へ架電することができる。この操作に従ってプログラムは、通信端末１１０に、通信サーバ１３０を介して問合せ先１７０へ架電させる。その後、ユーザはオペレータとの対話を通して問合せに対する回答を得ることができる。
【００４７】
［２−４．折り返し通話予約］
一方、問合せ先１７０の通信状況がユーザの許容範囲外である場合、あるいはユーザが架電できないような環境にいる場合、ユーザはアイコン３５２を操作し、折り返し通話を予約するための発呼要求信号を送信してもよい（図３におけるステップ２１０）。この操作に従ってプログラムは、例えば図８に示すような、折り返し通話を予約するための画面を表示するように構成することができる。なお、図８に示す画面を表示する前あるいは後に、折り返し通話に関する事業者の免責事項に対してユーザが同意するか否かを選択するための画面を表示してもよい。ここでいう免責事項とは、折り返し通話の回数や日にちに対する制限、ユーザに起因する回線接続の失敗に対し、事業者が免責されるケース等が挙げられる。
【００４８】
折り返し通話を予約にあたり、プログラムは、図８に示すように、ユーザの氏名や折り返し先の電話番号を入力する、あるいは折り返し通話の希望時間や時間帯を選択するためのポップアップウインドウ３６０を表示するよう構成することができる。図示していないが、通信端末１１０の電話番号やユーザの氏名を自動入力できるようにプログラムを構成してもよい。ユーザは、通信端末１１０へ発呼を要求することもでき、あるいは通信端末１１０とは異なる通信端末（第２の通信端末）を指定して発呼を要求してもよい。ユーザからの発呼要求信号は、受信部１２２によって受信される。
【００４９】
折り返し通話の希望時間は、事業者の営業形態に応じて適宜設定することができる。例えば図８に例示するように数時間単位の時間帯で選択できるようにしてもよく、あるいは特定の時刻を指定できるようにしてもよい。選択される時間帯の残り時間や指定する時刻までの時間が短い場合、該当する時間帯や時刻を選択できなくするための信号を、情報処理サーバ１２０から通信端末１１０に送信してもよい。あるいは処理部１２６の判断に基づき、ユーザからの問合せが集中することが予め分かっている時刻や時間帯、あるいは問合せ先に十分な数のオペレータが配置できない時刻や時間帯が選択できないように、情報処理サーバ１２０から信号を通信端末１１０へ送信してもよい。この信号に従ってプログラムは、該当する時間帯や時刻を選択できないように、ポップアップウインドウ３６０を調整する。さらに、折り返し通話の時間をユーザが指定しないための選択肢をポップアップウインドウ３６０に設けてもよい。この場合には、折り返し通話の予約が完了した時点でのウエイティングユーザがすべて対話を終了したのちに、折り返し通話がオペレータによって開始されるようにシステムを構築すればよい。ユーザは、必要事項の入力後、アイコン３６２を用いて折り返し通話の予約を確定、登録することができる（図３におけるステップ２１０）。アイコン３６２の操作後、折り返し通話の予約が完了したことをユーザに知らせるための表示を行ってもよい（図９参照）。その後、通信端末１１０と情報処理サーバ１２０との通信は一度切断される。あるいは、処理部１２６の判断に基づき、領域３４０に表示された問い合わせ先１７０の混雑状況によっては、アイコン３５２を選択できないように情報処理サーバ１２０から信号を通信端末１１０へ送信してもよい。
【００５０】
［２−５．情報提供プログラムの利用］
情報提供プログラム起動後のフローを図１０に示す。本実施形態の情報提供方法では、オペレータが折り返し通話を発信する前に、ユーザの通信端末１１０から送信された折り返し通話を予約するための発呼要求信号に応答した信号を通信端末１１０に対して送信し、この信号を受信した通信端末１１０に情報提供プログラムを実行させることができる（図３におけるステップ２２０）。具体的には、ユーザが折り返し通話予約の時間帯を指定した際、情報提供プログラムをユーザの通信端末１１０に起動する時間を、情報処理サーバ１２０の設定部１２３が設定する。設定部１２３の設定に従い、情報処理サーバ１２０は送信部１２１から通信端末１１０、あるいはユーザが指定した第２の通信端末に命令を送り、この命令により、情報提供プログラムを通信端末１１０、あるいは第２の通信端末で起動する。なお、ユーザが指定した時間帯において、当該ユーザに応対するオペレータ自身により、情報処理サーバ１２０から情報提供プログラムの立ち上げ命令を通信端末１１０へ送信してもよい。
【００５１】
あるいは設定部１２３の設定に従い、情報処理サーバ１２０は送信部１２１から通信端末１１０、またはユーザが指定した第２の通信端末に発呼してもよい。発呼に対してユーザが応答した場合、自動的に情報提供プログラムが起動するようにプログラムが構成されていてもよい。より具体的には、情報処理サーバ１２０が送信する発呼信号を通信端末１１０（あるいは第２の通信端末）の通信部１１７が受信したのち、通信端末１１０の表示部１１３に発呼を受信したことを示す画像を表示する。画像には、例えば発呼に応答するためのアイコンやスライダーなどが含まれてもよい。発呼に対する応答は、ユーザがアイコンやスライダーなどを操作することで行われる。この時、ユーザによるこれらの操作をトリガーとして、情報提供プログラムが起動されるよう、プログラムを構成することができる。この場合、発呼に対する応答と情報提供プログラムの起動という二つの動作を一つの操作で達成することができる。
【００５２】
上述した発呼に対してユーザが応答した場合、情報提供プログラムの起動をユーザに促すメッセージを通信端末１１０の音声出力部１１６を用いて出力してもよい。このメッセージに従ってユーザは、通信端末１１０（あるいは第２の通信端末）を自ら操作し、情報提供プログラムを起動する。
【００５３】
あるいは、ユーザが指定した時間帯に送信部１２１から通信端末１１０に通知信号を送信してもよい。通信端末１１０が通信信号を受信すると、通信端末１１０にインストールされているオペレーティングシステム（ＯＳ）は、通知信号を受信したことをユーザに通知するため、該当するテキスト情報を表示部１１３上にバナーやアイコン、ポップアップダイアログなどを用いて表示する。同時に音声出力部１１６から音声を出力し、通知信号の受信をユーザに知らせてもよい。この表示に従いユーザは通信端末１１０（あるいは第２の通信端末）を自ら操作し、情報提供プログラムを起動する。この表示を直接操作することで情報提供プログラムが自動的に起動するようにプログラムを構成してもよい。
【００５４】
あるいは、ユーザが指定した折り返し通話の時刻を通信端末１１０のメモリ１１２に記憶させ、この時刻において通信端末１１０で情報提供プログラムが起動するようにプログラムが構成されていてもよい。この場合、プログラムにスヌーズ機能を付与し、当該時刻においてユーザが対応不可能であれば、一定時間ののちに再度情報提供プログラムが起動するようにしてもよい。スヌーズ機能は、ユーザが選択した時間帯内でのみ機能するように構成されてもよい。なおこの時刻において、第２の通信端末で情報提供プログラムが起動するようにプログラムが構成されていてもよい。この場合には、ユーザが第２の通信端末を指定することにより、プログラムは当該時刻において第２の通信端末に命令を送信し、この命令を受け取った第２の通信端末が情報提供プログラムを起動する。
【００５５】
上述した種々のトリガーにより、ユーザの通信端末１１０において情報提供プログラムが起動される（ステップ４００）。同時に通信端末１１０は、情報提供プログラムが起動されたことを音声あるいは振動などを用いてユーザへ知らせてもよい。
【００５６】
情報提供プログラムは、起動されると、通信端末１１０の画面３００に、ユーザとの対話のための画像を表示するように構成することができる。画像は動きの無いアイコンでもよく、一部あるいはすべてが規則的に、あるいは不規則的に動くものでもよい。動きは非機械的でもよい。例えば画像は、ユーザ対応を行う従業員などを模した仮想オペレータでもよい（図１１（Ａ）参照）。この時、仮想オペレータが人間の自然な動作（例えば表情の変化、頭や手の動きなど）を行うように設定し、ユーザに親近感を抱かせるようにプログラムを構成してもよい。図１１（Ａ）では、仮想オペレータの発言がテキストで表示されているが、テキストの表示に替わり、あるいはテキストの表示とともに、発言を音声として再生してもよい。この際、ユーザの氏名を表示、あるいは再生するように情報提供プログラムを構成してもよい。これにより、ユーザにより強い親近感を持たせることが可能となる。以下、対話用の画像として仮想オペレータを用いる例を用いて説明を行う。
【００５７】
情報提供プログラムは、仮想オペレータ以外に、例えばアイコン３７０を表示するように構成される。このアイコン３７０はユーザに音声入力を許容するアイコンであり、アイコン３７０の操作に従って情報提供プログラムは、通信端末１１０に内蔵される音声入力部１１５をアクティブにし、ユーザの音声を入力させることができる。これによりユーザは、問合せ内容をテキスト入力するという煩雑な操作を強いられることなく、きわめて簡単な操作によって問合せ内容を音声情報として入力することができる。さらに任意の構成として、事業者の店舗情報を表示する画面に移行するためのアイコン３７２を画面３００上に表示するように情報提供プログラムが構成されていてもよい。このアイコン３７２を用いることで、例えば事業者の各店舗が提供するサービス内容、店舗の混雑状況や位置、店舗までの道順などを表示するように情報提供プログラムを構成してもよい。
【００５８】
ユーザが入力した問合せは、音声情報あるいはテキストとして通信端末１１０の通信部１１７によって音声認識サーバ１４０へ送信され（ステップ４０４）、音声情報は音声認識サーバ１４０によって解析されてテキストへ変換される。対話サーバ１５０によって問合せに対する回答が生成され、これが合成サーバ１６０へ送られる。合成サーバ１６０では、対話サーバで選択されたメッセージ１５９が音声情報に変換され、あるいはメッセージ１５９をテキストとして、ユーザの通信端末１１０へ送信される。図１１（Ｂ）に示すように、回答メッセージの音声情報は通信端末１１０で再生されてもよく、あるいは回答メッセージのテキストが画面３００上にダイアログ３７６として表示してもよい（図１０におけるステップ４０６）。同時に、ユーザが入力し、音声認識サーバ１４０によって解析された問合せ内容を画面３００上にダイアログ３７４として表示してもよい。
【００５９】
回答が一つに絞り込まれず、複数の回答メッセージが表示される場合（図１１（Ｂ）参照）、ユーザは最適な回答を示すダイアログ３７６を操作する、あるいは対応する回答を選択するように音声入力を行う。これらのプロセスをユーザと仮想オペレータとの対話形式で繰り返すことで、ユーザの問合せに最も適合する回答へユーザを導くことができる（図３におけるステップ２２２）。
【００６０】
ユーザと仮想オペレータとの対話の履歴、すなわち通信端末１１０やユーザが指定した通信端末へユーザによって入力された情報（入力情報）、および画像である仮想オペレータを表示した状態で出力された情報（出力情報）は、通信サーバ１３０内の通信ステータス管理部１３２で記録、管理することができる。また、対話履歴は、通信ネットワークを介して随時問合せ先１７０に提供され、オペレータが問合せ先１７０に関連付けられた表示装置１７２上で閲覧できるようにシステムを構成することができる。これにより、折り返し通話を担当するオペレータは、仮想オペレータとの対話をモニターし、ユーザの問合せ内容を正確に把握し、適切な回答を準備することができる。さらに、対話履歴に基づき、問合せに対して最適なオペレータを再配置することも可能となる。
【００６１】
図示しないが、情報提供プログラムによって行われる対話を通じて満足できる回答をユーザが得た場合、折り返し通話の要求を取り消すための画面に移行するように、プログラムを構成してもよい。この場合、この段階でユーザの問合せが終了するため、オペレータは折り返し通話の要求に応える必要がない。このため、オペレータの負担を軽減し、事業者の人的資源の消耗を回避することが可能となり、その結果、業務の効率化と生産性の向上、顧客サービスの向上が達成できる。
【００６２】
なお、図３に示すように、ユーザが折り返し通話の予約をすることなく、直接情報提供プログラムを起動して問合せ事項の解決を図る機会を提供してもよい。例えば問合せ先の通信状況を示す画面において情報提供プログラムを起動するためのアイコン３５４を表示することで（図７参照）、このような行動オプションをユーザに教示することができる。アイコン３５４の表示は図７の画面内に限られず、例えば図４の初期画面や図５で示す問合せ先を一覧表示するか否かを選択可能な画面、図６の問合せ先一覧が表示された画面内で表示してもよい。
【００６３】
［２−６．オペレータとの対話］
一方、情報提供プログラムによっては満足する回答が得られない場合、あるいは、ある程度満足できる回答が得られたものの、より詳しい情報を得たい場合、オペレータとの対話に切り替えることができる（図３におけるステップ２２４）。
【００６４】
様々なトリガーを利用して対話への切り替えを行うことができる。例えば、情報提供プログラムが回答メッセージを通信端末１１０に表示させる、あるいは音声として出力された後、オペレータとの対話を開始するかどうかの選択を行うための画面を表示してもよい。この場合、図１２（Ａ）に示すように、仮想オペレータによって上記選択を促すようなダイアログ３７８を表示するよう、プログラムを構成してもよい。
【００６５】
あるいは、仮想オペレータとの対話をモニターするオペレータ自身の判断により、ユーザに折り返し通話を発信してもよい。このようなトリガーによってオペレータが折り返し通話を発信するのは、ユーザと仮想オペレータの対話が停滞している場合や、仮想オペレータが適切な回答を提供していないと判断した場合などに有効である。この場合、例えば図１２（Ｂ）に示すように、担当オペレータから折り返し通話を発信するという予告を表示するよう、情報処理サーバ１２０を経由して当該命令を通信端末１１０に送信すればよい。この命令に従いプログラムは、画面３００上にオペレータからの折り返し通話予告のダイアログ３８０を表示する。
【００６６】
なお、あらかじめ時刻や時間帯を指定して折り返し通話を予約した場合でも、必ずしもユーザは確実に折り返し通話に応対できるとは限らない。その場合、再度折り返し通話を予約するための画面を表示し、ユーザに対して折り返し通話を再予約する機会を与えるように、プログラムを構成してもよい。
【００６７】
上述したように、ユーザと仮想オペレータとの対話は、オペレータによって、問合せ先１７０の表示装置１７２上でモニターすることができる。したがって、オペレータはユーザに対し、問合せ内容を再度詳細に問う必要はなく、同様にユーザも問合せを繰り返す煩わしさから解放される。このため、オペレータは効率よくユーザに適切な回答を提供することができ、ユーザもオペレータから速やかに適切な回答を得ることができる。その結果、事業者の負担が軽減され、業務の効率化が達成できると同時に、ユーザの満足度を向上させることが可能である。
【００６８】
［２−７．情報提供プログラムのインストール］
本実施形態のプログラムは、情報提供プログラムが通信端末にインストールされていない場合、情報提供プログラムをインストールするためのサイトへ誘導可能なアイコン３５６を画面３００上に表示してもよい。このアイコン３５６は、例えば問合せ先の通信状況を示す画面内に表示するようにしてもよく（図７参照）、図３の初期画面内に表示するようにプログラムを構成してもよい。あるいは、図７に示す画面へ移行する前や、折り返し通話の予約の画面（図８）へ移行する前にユーザの通信端末に情報提供プログラムがインストールされているかどうかを調査するよう、プログラムを構成してもよい。情報提供プログラムがインストールされていない場合、情報提供プログラムをインストールするためのサイトへ自動的に移行するよう、プログラムを構成してもよい。
【００６９】
上述したように本実施形態で述べた情報提供方法では、ユーザは、事業者が提供する問合せ先の一覧を視覚的に閲覧することができる。このため、各ユーザにとって最適な問合せ先を迅速に、かつ、直感的に把握することができ、ユーザは煩わしさを感じることがない。本情報提供方法は、選択された問合せ先の混雑状況に関する情報などを含む通信状況を提供し、同時にユーザに様々な行動を選択する機会を提供する。したがって、「待たされる」という被害者的な心理を芽生えさせることなく、嗜好や環境に合わせ、各ユーザは様々な行動を選択することができる。ユーザが選択できる行動の一つが、事業者に対してユーザが希望する時刻や時間帯に折り返し通話を要求することであり、これにより、ユーザ事業者間の回線接続のために消費されていた時間の浪費を防止し、ユーザは確実にオペレータとの対話を行うことができる。また、折り返し通話に先立ち、ユーザは仮想オペレータとの対話を通じ、均一かつ豊富な情報をリアルタイムで獲得することで、問合せに対する最適な回答を得る機会が得られ、同時に事業者は、ユーザの問合せ内容を正確に把握することができる。このため、ユーザとオペレータとの対話に無駄が発生せず、効率よくユーザを最適な回答へ導くことが可能となり、ユーザによる自己解決率を向上させるのみならず、ユーザ満足度も大幅に向上させることができる。さらに、事業者にとっては、ユーザ対応による人的資源の消耗を避けることができ、問合せ先の効率的な運用が可能となり、その結果、業務の効率化と生産性の向上を実現することができる。
【００７０】
［３．具体例］
以下、事業者として銀行を例に挙げ、ユーザが銀行に登録した住所を変更するケースを想定し、本実施形態で述べたシステムの動作例を説明する。ここでは、通信ネットワークを介し、ユーザが主な操作を事業者のサイト上で行う例を挙げて説明を行うが、本実施形態で述べたように、事業者が提供する専用アプリケーションを用いて問合せを行ってもよい。本想定ケースにおけるフローチャートを図１３に示す。
【００７１】
最初にユーザは、通信端末１１０を操作し、通信ネットワークを介して事業者が提供するサイトへアクセスする。その時、通信端末１１０の画面３００上には図４で示すような表示を行うことができる。ユーザはさらに、問合せを行うためのアイコン３０４を操作し、問合せ用の画面（図５参照）に進む。
【００７２】
次にユーザは問合せ先一覧を表示するためのアイコン３２０（図５参照）を操作する。これにより、通信端末１１０情報処理サーバ１２０に対し、問合せ先の一覧を含む情報を送信するよう要求する（図１３におけるステップ５００）。情報処理サーバ１２０はユーザの通信端末１１０からの要求に従い、該当する情報を通信端末１１０に送信する（ステップ５０２）。通信端末１１０は、受信した情報を画面３００上に表示する。この時の表示の一例を図１４に示す。ここでは、予想されるユーザの問合せが項目ごとに分類された複数のアイコン３８２が表示されている。従来の問合せ方法では、ユーザは事業者に直接通話を発信したのち、事業者が作成した録音メッセージを注意深く聞き、その内容を理解した後初めて該当する問合せ先が判断できる。これに対し本発明の実施形態を適用することで、ユーザにとって最適な問合せ先を瞬時に判断することが可能となる。
【００７３】
ユーザは、一覧で表示される問合せ先から自己の問合せに最も適した問合せ先１７０を選択する。この操作に従い、通信端末１１０はユーザの選択結果を情報処理サーバ１２０へ送信し（ステップ５０４）、その後情報処理サーバ１２０は、問合せ先１７０の通信状況を通信端末１１０へ送信する（ステップ５１０）。端末モニター１２４や処理部１２６が問合せ先１７０に設置されている場合には、通信状況を問合せ先１７０へ要求し（ステップ５０６）、問合せ先１７０は通信状況を情報処理サーバ１２０へ送信する（ステップ５０８）。通信端末１１０は、混雑状況を画面３００上に表示すると同時に、ユーザに対して種々の行動オプションを提供するための表示を行う（図７参照）。
【００７４】
ここでは、ユーザは通信状況を把握したのち、折り返し通話の予約を行うため、アイコン３５２を操作する。ユーザは、引き続き現れる折り返し通話予約に関する画面（図８参照）において必要な情報や折り返し通話の希望時間帯を入力することができる。これらの情報が入力されたのち、通信端末１１０は折り返し通話の要求信号を情報処理サーバ１２０へ送信する（ステップ５１２）。これらの情報は設定部１２３に入力され、さらに情報処理サーバ１２０から直接に、あるいは通信サーバ１３０を介して問合せ先１７０へ送信されてもよい（ステップ５１４）。この後、任意の構成として、免責事項の表示や折り返し通話の予約が完了したことを示す表示（図９参照）を行ってもよい。ユーザはこの段階でウェブ上での操作を中断して通信端末１１０と事業者のサイト（あるいは情報処理サーバ１２０）間の通信を切断することができ、指定した時間までの時間を有効に活用することができる。
【００７５】
この時、情報処理サーバ１２０は、通信端末１１０に情報提供プログラムがインストールされているかどうかを調査するための信号を通信端末通信端末１１０に送信してもよい。情報提供プログラムがインストールされていない場合、インストールを促す表示を画面３００上に示してもよい。
【００７６】
ユーザが指定した時刻や時間帯になると、設定部１２３における設定に従って情報処理サーバ１２０は通信端末１１０に信号を送信し、情報提供プログラムを起動させる（ステップ５１６）。情報提供プログラムの起動は、このユーザの問合せを担当するオペレータが折り返し通話を掛けることができるようになった時点で、オペレータの管理のもと、情報処理サーバ１２０から信号を送信することで行ってもよい。その後ユーザは、図１１（Ａ）に例示する仮想オペレータに対して話しかける要領で対話を開始する。ユーザと仮想オペレータとの対話の間、通信端末１１０は音声認識サーバ１４０へ対話内容を音声情報、あるいはテキストとして送信し、一方、対話サーバ１５０、合成サーバ１６０は、ユーザからの質問などに対する回答メッセージを作成、選択し、通信端末１１０へ送信する（ステップ５１８、５２０）。対話の進行にも依存するが、これらの送受信プロセスはそれぞれ複数回行われることもある。
【００７７】
ここで想定するケースでは、仮想オペレータに対し、例えばユーザは「住所変更がしたい」と話しかければよい。音声認識サーバ１４０はユーザの音声情報を理解し、対話サーバ１５０はその内容に合致する回答を一つ、あるいは複数選択し、合成サーバ１６０を経由して通信端末１１０へ送信する。その時の画面３００上の表示の一例を図１５に示す。図１５で例示するように、ユーザの音声情報に基づき、ユーザの問合せ内容とそれに対する回答メッセージがそれぞれダイアログ３９０、３９２として、画面３００上に表示される。ユーザはこれらの中から適切と思われるものを選択することで、さらに詳細な情報が記述された画面へ移行するよう、情報提供プログラムが構成されてもよい。あるいはユーザは、より好適な回答を得るために、さらに音声入力を繰り返してもよい。
【００７８】
この時の対話は、情報処理サーバ１２０、あるいは通信サーバ１３０を経由して問合せ先１７０へ提供され（ステップ５４０）、問合せ先１７０の表示装置１７２上に表示される。これにより、担当オペレータは対話を随時モニターすることができ、ユーザのニーズをより正確に把握することができる。
【００７９】
ユーザは、例えば情報提供プログラムでは問題が解決できないと判断した場合、折り返し通話を催促してもよい（ステップ５４２）。あるいは、担当オペレータが正確にユーザの問合せ内容を把握したと認識した場合、折り返し通話をかけてもよい（ステップ５４４）。このため、問合せ先からの折り返し通話を依頼するためのアイコン３９６が画面３００上に表示されるように、情報提供プログラムが構成されてもよい（図１５参照）。情報提供プログラムを通じて得られた情報をもとにユーザと対話することで、オペレータはよりユーザのニーズに合致した情報を提供することができ、ユーザの顧客満足度の向上に寄与することができる。
【００８０】
逆に、情報提供プログラムを利用することによって満足する回答が得られ、オペレータとの対話が不要になったとユーザが判断した場合、折り返し通話の予約をキャンセルしてもよい。このため、予約をキャンセルするためのアイコン３９４が画面表示されるように、情報提供プログラムが構成されてもよい（図１５参照）。
【００８１】
本実施例で述べたように、本発明の実施形態を適用することで、ユーザと自動応答可能な情報提供プログラムをユーザのためのインターフェースとして活用することができる。これにより、ユーザに利便を図ることができると同時に、事業者の業務負担が軽減され、事業の効率化とともに高品質なサービスをユーザに提供することが可能となる。
【００８２】
上述した実施形態を基にして、当業者が適宜構成要素やプロセスの追加、削除もしくは設計変更を行ったものも、本発明の要旨を備えている限り、本発明の範囲に含まれる。
【００８３】
また、上述した各実施形態の態様によりもたらされる作用効果とは異なる他の作用効果であっても、本明細書の記載から明らかなもの、又は、当業者において容易に予測し得るものについては、当然に本発明によりもたらされるものと解される。
【符号の説明】
【００８４】
１００：情報提供システム、１１０：通信端末、１１１：ＣＰＵ、１１２：メモリ、１１３：表示部、１１４：入力部、１１５：音声入力部、１１６：音声出力部、１１７：通信部、１１８：画像取込装置、１２０：情報処理サーバ、１２１：送信部、１２２：受信部、１２３：設定部、１２４：端末モニター、１２５：データベース、１２６：処理部、１３０：通信サーバ、１３２：通信ステータス管理部、１４０：音声認識サーバ、１４１：特徴量抽出部、１４２：デコーダ、１４３：テキスト出力部、１４４：言語モデル、１４５：音響モデル、１４６：語彙辞書、１５０：対話サーバ、１５２：コントローラ、１５４：応答生成部、１５６：セレクタ、１５８：情報データベース、１５９：メッセージ、１６０：合成サーバ、１６２：テキスト入力部、１６４：言語解析部、１６５：言語辞書、１６６：波形生成部、１６７：音声合成データベース、１７０：問合せ先、１７２：表示装置、３００：画面、３０２：アイコン、３０４：アイコン、３２０：アイコン、３３０：アイコン、３４０：領域、３５０：アイコン、３５２：アイコン、３５４：アイコン、３５６：アイコン、３５８：アイコン、３６０：ポップアップウインドウ、３６２：アイコン、３７０：アイコン、３７２：アイコン、３７４：ダイアログ、３７６：ダイアログ、３７８：ダイアログ、３８０：ダイアログ、３８２：アイコン、３９０：ダイアログ、３９２：ダイアログ、３９４：アイコン、３９６：アイコン
【図１】
2018023017.tif 000003
【図２】
2018023017.tif 000004
【図３】
2018023017.tif 000005
【図４】
2018023017.tif 000006
【図５】
2018023017.tif 000007
【図６】
2018023017.tif 000008
【図７】
2018023017.tif 000009
【図８】
2018023017.tif 000010
【図９】
2018023017.tif 000011
【図１０】
2018023017.tif 000012
【図１１】
2018023017.tif 000013
【図１２】
2018023017.tif 000014
【図１３】
2018023017.tif 000015
【図１４】
2018023017.tif 000016
【図１５】
2018023017.tif 000017